(57)【要約】【課題】  スミアと境界ブリーディングを抑制し、かつ黒文字などの黒画像を高品位に記録可能なインクジェット記録装置およびインクジェット記録方法を提供すること。【解決手段】  ＡＮＤ処理Ｅ１００８は、オリジナルＢｋデータＤ１０００を間引くことによって記録用ＢｋデータＤ１０１６を生成し、ＰＣＢｋ付与データ生成処理Ｅ１００９は、ＡＮＤ処理Ｅ１００８によって間引かれたデータに基づいて、混色によってブラックを表現可能なＣ，Ｍ，Ｙのカラーインクを付与するためのＰＣＢｋ付与データＤ１０２４を生成する。そのＰＣＢｋ付与データＤ１０２４と、スミア抑制用のカラーインクを付与するためのＣ，Ｍ，Ｙ付与データ１と、境界ブリーディング抑制用のカラーインクを付与するためのＣ，Ｍ，Ｙ付与データ２と、オリジナルＣ，Ｍ，Ｙデータと、に基づいて、記録用Ｃ，Ｍ，Ｙデータを生成する。【選択図】  図１
2006001053.tif 000002
【特許請求の範囲】
【請求項１】
ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、
前記ブラックデータを間引くことによって記録用ブラックデータを生成する記録用ブラックデータ生成手段と、
前記記録用ブラックデータ生成手段によって間引かれたデータに基づいて、混色によってブラックを表現可能な複数のカラーインクを付与するための第１付与データを生成する第１付与データ生成手段と、
前記ブラックデータに基づいて、前記被記録媒体上の所定の単位記録領域におけるブラックドットの形成数が所定数以上となる領域を第１記録領域として検出する第１検出手段と、
前記第１記録領域にカラーインクを付与するための第２付与データを生成する第２付与データ生成手段と、
前記ブラックデータと前記カラーデータに基づいて、カラードットと近接するブラックドットが形成される第２記録領域を検出する第２検出手段と、
前記第２記録領域にカラーインクを付与するための第３付与データを生成する第３付与データ生成手段と、
前記カラーデータと前記第１、第２、第３付与データとに基づいて、記録用カラーデータを生成する記録用カラーデータ生成手段と、
前記記録用ブラックデータと前記記録用カラーデータに基づいて前記記録ヘッドを制御することにより画像を記録する制御手段と、
を備えることを特徴とするインクジェット記録装置。
【請求項２】
前記第１検出手段は、Ｌ画素×Ｍ画素（Ｌ，Ｍは１以上の自然数）の単位記録領域内の中央にブラックドットが形成され、かつ前記単位記録領域内に形成されるブラックドットの数が所定数以上となるときに、前記中央のブラックドットが形成される領域を前記第１記録領域とすることを特徴とする請求項１に記載のインクジェット記録装置。
【請求項３】
前記第２検出手段は、Ｌ画素×Ｍ画素（Ｌ，Ｍは１以上の自然数）の単位記録領域内の中央にブラックドットが形成され、かつ前記単位記録領域内に形成されるカラードットの数が所定数以上となるときに、前記中央のブラックドットが形成される領域を前記第２記録領域とすることを特徴とする請求項１または２に記載のインクジェット記録装置。
【請求項４】
前記記録用ブラックデータ生成手段は、前記ブラックデータとブラック用間引きマスクとの論理積をとることによって前記ブラックデータを間引くことを特徴とする請求項１から３のいずれかに記載のインクジェット記録装置。
【請求項５】
前記第２付与データ生成手段は、前記第１領域に対応するブラックデータと第１のカラー用間引きマスクとの論理積をとることによって、前記第２付与データを生成することを特徴とする請求項１から４のいずれかに記載のインクジェット記録装置。
【請求項６】
前記第１のカラー用間引きマスクは、前記複数のカラーインクのインク色毎に対応して備えることを特徴とする請求項５に記載のインクジェット記録装置。
【請求項７】
前記第３付与データ生成手段は、前記第２領域に対応するブラックデータと第２のカラー用マスクとの論理積をとることによって、前記第３付与データを生成することを特徴とする請求項１から６のいずれかに記載のインクジェット記録装置。
【請求項８】
前記第２のカラー用間引きマスクは、前記複数のカラーインクのインク色毎に対応して備えることを特徴とする請求項７に記載のインクジェット記録装置。
【請求項９】
前記カラーインクは、イエロー、マゼンタ、シアンのインクを含むことを特徴とする請求項１から８のいずれかに記載のインクジェット記録装置。
【請求項１０】
前記第２検出手段は、前記複数のカラーインク毎に対応するカラーデータの論理和をとったデータと、前記ブラックデータとに基づいて、前記第２記録領域を検出することを特徴とする請求項１から９のいずれかに記載のインクジェット記録装置。
【請求項１１】
前記ブラックインクは浸透性が比較的低いインクであり、前記カラーインクは浸透性が比較的高いインクであることを特徴とする請求項１から１０のいずれかに記載のインクジェット記録装置。
【請求項１２】
前記カラーインクの少なくとも１つは、前記ブラックインクの色材を凝集させる成分を含むことを特徴とする請求項１から１１のいずれかに記載のインクジェット記録装置。
【請求項１３】
前記ブラックデータと前記カラーデータは解像度が異なるデータであり、
少なくとも記録用カラーデータ生成手段が前記カラーデータと前記第１、第２、第３付与データとに基づいて前記記録用カラーデータを生成する際に、前記カラーデータと前記第１、第２、第３付与データの解像度を合わせるための解像度変更手段を備える
ことを特徴とする請求項１から１２のいずれかに記載のインクジェット記録装置。
【請求項１４】
前記解像度変更手段は、前記第２検出手段が前記ブラックデータと前記カラーデータに基づいて前記第２記録領域を検出する際に、前記ブラックデータと前記カラーデータの解像度を合わせることを特徴とする請求項１３に記載のインクジェット記録装置。
【請求項１５】
前記解像度変更手段は、前記ブラックデータと前記カラーデータの内の一方の解像度を低くする圧縮処理部、または他方の解像度を高くする展開処理部を含むことを特徴とする請求項１３に記載のインクジェット記録装置。
【請求項１６】
ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、
ブラック領域内の一部分をブラックインクで記録するための記録用ブラックデータを生成する記録用ブラックデータ生成手段と、
前記ブラック領域内の前記ブラックインクで記録されない部分を、混色によってブラックを表現可能な複数のカラーインクで記録するための第１カラー付与データを生成し、且つ、前記ブラック領域内の前記ブラックインクが記録される部分に、前記複数のカラーインクの少なくとも１つを付与するための第２カラー付与データを生成するカラー付与データ生成手段と、
を備えることを特徴とするインクジェット記録装置。
【請求項１７】
ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、
ブラック領域内の一部分をブラックインクで記録するための記録用ブラックデータを生成する記録用ブラックデータ生成工程と、
前記ブラック領域内の前記ブラックインクで記録されない部分を、混色によってブラックを表現可能な複数のカラーインクで記録するための第１カラー付与データを生成し、且つ、前記ブラック領域内の前記ブラックインクが記録される部分に、前記複数のカラーインクの少なくとも１つを付与するための第２カラー付与データを生成するカラー付与データ生成工程と、
を備えることを特徴とするインクジェット記録方法。
【請求項１８】
ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録方法において、
前記ブラックデータを間引くことによって記録用ブラックデータを生成する記録用ブラックデータ生成工程と、
前記記録用ブラックデータ生成工程によって間引かれたデータに基づいて、混色によってブラックを表現可能な複数のカラーインクを付与するための第１付与データを生成する第１付与データ生成工程と、
前記ブラックデータに基づいて、前記被記録媒体上の所定の単位記録領域におけるブラックドットの形成数が所定数以上となる領域を第１記録領域として検出する第１検出工程と、
前記第１記録領域にカラーインクを付与するための第２付与データを生成する第２付与データ生成工程と、
前記ブラックデータと前記カラーデータに基づいて、カラードットと近接するブラックドットが形成される第２記録領域を検出する第２検出工程と、
前記第２記録領域にカラーインクを付与するための第３付与データを生成する第３付与データ生成工程と、
前記カラーデータと前記第１、第２、第３付与データとに基づいて、記録用カラーデータを生成する記録用カラーデータ生成工程と、
前記記録用ブラックデータと前記記録用カラーデータに基づいて前記記録ヘッドを制御することにより画像を記録する制御工程と、
を含むことを特徴とするインクジェット記録方法。
【発明の詳細な説明】
【技術分野】
【０００１】
本発明は、ブラックインクと、少なくとも混色によってブラックを表現可能な複数のカラーインクと、を吐出可能な記録ヘッドを用いて、記録を行うインクジェット記録装置およびインクジェット記録方法に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として応用され、かつ商品化されている。
【０００３】
一般にインクジェット記録装置は、記録手段としての記録ヘッドおよびインクタンクを搭載するキャリッジと、被記録媒体を搬送する搬送手段と、これらを制御するための制御手段と、を備えている。そして、複数の吐出口からインク滴を吐出可能な記録ヘッドを被記録媒体の搬送方向（副走査方向）と直交する方向（主走査方向）にシリアルスキャンさせる動作と、被記録媒体を副走査方向に記録幅に等しい量搬送する動作と、を繰り返すことによって、被記録媒体の記録領域に画像を記録する。このような記録方法は、記録信号に応じて被記録媒体上にインクを吐出して記録を行うものであり、ランニングコストが安く、静かな記録方式として広く用いられている。また近年では、複数色のインクを用い、カラー画像の記録装置に応用した製品も数多く実用化されている。
【０００４】
このようなカラーインクジェット記録装置において用いられるブラックインクは、文字等の記録に多用されることから、記録画像のシャープさ鮮明さおよび高い記録濃度を実現することが要求される。そこで、被記録媒体に対するブラックインクの浸透性を下げて、ブラックインク中の色材が被記録媒体内へ浸透することを抑制する技術が知られている（例えば、特許文献１参照）。
【０００５】
一方、ブラックインク以外のカラーインクは、異なる色の２種のインクが隣接して被記録媒体上に付与されたときに、それらのインクの付与部分の境界部にてインク同士が混ざり合って、カラー画像の品位を低下させる現象（境界ブリーディング）が発生するおそれがある。これを防ぐために、被記録媒体に対するカラーインクの浸透性を上げて、カラーインク同士が被記録媒体の表面で混ざり合うことを抑制する技術が知られている（例えば、特許文献２参照）。
【０００６】
しかしながら、このような低浸透性のブラックインクと高浸透性のカラーインクを用いた場合には、以下のような２つの問題が発生する。
【０００７】
第１に、カラーインクは浸透性が高いため定着時間が短いものの、ブラックインクは浸透性が低いため乾燥定着時間が長くかかる。そのため、被記録媒体としての複数ページの記録用紙に連続的に記録をする場合に、先に記録されたページが排紙された後、そのページの上に、次に記録されたページを重ねて排紙したときに、前のページに付与されたブラックインクが完全に乾いていないため、前のページの記録面と次のページの記録用紙の裏面とがすれて汚れてしまうおそれがある。このような記録用紙の記録面と裏面の汚れは、「スミア」と称される。このような問題は、記録速度の向上に伴って顕著に現れる。
【０００８】
第２に、ブラックインクは浸透性が低いため、被記録媒体上のブラックインクとカラーインクの付与部分の境界領域において、にじみ（境界ブリーディング）が発生するおそれがある。これはカラー画像の品位を著しく低下させることになる。
【０００９】
これら２つの問題の解決策として、従来から以下のような１〜３の対策がとられている。
【００１０】
第１の対策は、加熱定着器等のインクの定着手段を用いる方法である。この方法により、被記録媒体にインクを高速に定着させて、スミアおよび境界ブリーディングを抑制することが可能となる（例えば、特許文献３参照）。
【００１１】
第２の対策は、被記録媒体としての記録用紙の排紙待ち制御を行う方法である。この方法は、１枚目の記録用紙に画像が記録されてからインクが十分に乾燥するまでの間において、２枚目の記録用紙に対する記録開始を一時停止、または２枚目の記録用紙に画像を記録した後に、その記録用紙の排紙動作を一時停止するものである。この方法により、スミアの発生を抑えることができる（例えば、特許文献４参照）。
【００１２】
第３の対策は、浸透性の高いカラーインクをブラックインクの付与領域に重ねて付与する方法である。カラーインクが付与された紙面上にブラックインクを付与することにより、ブラックインクが紙面に定着しやすくなり、スミアを抑えることができる。さらに、ブラックインクとカラーインクとが反応して凝集するタイプのインクセットを用いることにより、境界ブリーディングを抑えることができる（例えば、特許文献５参照）。
【００１３】
【特許文献１】特開平９−２５４４２公報
【特許文献２】特開昭５５−６５２６９公報
【特許文献３】特開平７−４７７６２号公報
【特許文献４】特開平２−３０３８４２号公報
【特許文献５】特開２００３−１５９８２７号公報
【発明の開示】
【発明が解決しようとする課題】
【００１４】
しかしながら、上述した第１から第３の対策においては、以下の不具合があった。
【００１５】
第１の対策では、定着手段を設けるために、装置の大型化およびコストの増大が避けられない。また、シリアルプリンタにおいては、被記録媒体の送り動作が間欠的であるため、それを定着器内に通す際に送りムラが生じてしまうおそれがある。
【００１６】
第２の対策では、被記録材の排紙待ちをするため、スループットの低下を招く。
【００１７】
第３の対策では、ブラックインクの付与領域にカラーインクを重ねて付与するため、ブラックインクによる黒画像のシャープネスの劣化、および黒文字の記録品位の劣化を招くおそれがある。また、スミアを抑制するために必要なカラーインクの付与量と、境界ブリーディングを抑制するために必要なカラーインクの付与量が異なる場合には、スミアと境界ブリーディングの抑制を両立させることが難しい。
【００１８】
本発明の目的は、スミアと境界ブリーディングを抑制し、かつ黒文字などの黒画像を高品位に記録可能なインクジェット記録装置およびインクジェット記録方法を提供することにある。
【課題を解決するための手段】
【００１９】
本発明のインクジェット記録装置は、ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、ブラック領域内の一部分をブラックインクで記録するための記録用ブラックデータを生成する記録用ブラックデータ生成手段と、前記ブラック領域内の前記ブラックインクで記録されない部分を、混色によってブラックを表現可能な複数のカラーインクで記録するための第１カラー付与データを生成し、且つ、前記ブラック領域内の前記ブラックインクが記録される部分に、前記複数のカラーインクの少なくとも１つを付与するための第２カラー付与データを生成するカラー付与データ生成手段と、を備えることを特徴とするインクジェット記録装置。
【００２０】
本発明のインクジェット記録装置は、ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、前記ブラックデータを間引くことによって記録用ブラックデータを生成する記録用ブラックデータ生成手段と、前記記録用ブラックデータ生成手段によって間引かれたデータに基づいて、混色によってブラックを表現可能な複数のカラーインクを付与するための第１付与データを生成する第１付与データ生成手段と、前記ブラックデータに基づいて、前記被記録媒体上の所定の単位記録領域におけるブラックドットの形成数が所定数以上となる領域を第１記録領域として検出する第１検出手段と、前記第１記録領域にカラーインクを付与するための第２付与データを生成する第２付与データ生成手段と、前記ブラックデータと前記カラーデータに基づいて、カラードットと近接するブラックドットが形成される第２記録領域を検出する第２検出手段と、前記第２記録領域にカラーインクを付与するための第３付与データを生成する第３付与データ生成手段と、前記カラーデータと前記第１、第２、第３付与データとに基づいて、記録用カラーデータを生成する記録用カラーデータ生成手段と、前記記録用ブラックデータと前記記録用カラーデータに基づいて前記記録ヘッドを制御することにより画像を記録する制御手段と、を備えることを特徴とする。
【００２１】
また、本発明のインクジェット記録方法は、ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録装置において、ブラック領域内の一部分をブラックインクで記録するための記録用ブラックデータを生成する記録用ブラックデータ生成工程と、前記ブラック領域内の前記ブラックインクで記録されない部分を、混色によってブラックを表現可能な複数のカラーインクで記録するための第１カラー付与データを生成し、且つ、前記ブラック領域内の前記ブラックインクが記録される部分に、前記複数のカラーインクの少なくとも１つを付与するための第２カラー付与データを生成するカラー付与データ生成工程と、を備えることを特徴とする。
【００２２】
本発明のインクジェット記録方法は、ブラックインクと、少なくとも混色によってブラックを表現可能な複数のカラーインクと、を吐出可能な記録ヘッドを用い、前記ブラックインクを吐出するためのブラックデータと前記カラーインクを吐出させるためのカラーデータに基づいて、被記録媒体上に前記ブラックインクによるブラックドットと前記カラーインクによるカラードットとを形成して画像を記録するインクジェット記録方法において、前記ブラックデータを間引くことによって記録用ブラックデータを生成する記録用ブラックデータ生成工程と、前記記録用ブラックデータ生成工程によって間引かれたデータに基づいて、混色によってブラックを表現可能な複数のカラーインクを付与するための第１付与データを生成する第１付与データ生成工程と、前記ブラックデータに基づいて、前記被記録媒体上の所定の単位記録領域におけるブラックドットの形成数が所定数以上となる領域を第１記録領域として検出する第１検出工程と、前記第１記録領域にカラーインクを付与するための第２付与データを生成する第２付与データ生成工程と、前記ブラックデータと前記カラーデータに基づいて、カラードットと近接するブラックドットが形成される第２記録領域を検出する第２検出工程と、前記第２記録領域にカラーインクを付与するための第３付与データを生成する第３付与データ生成工程と、前記カラーデータと前記第１、第２、第３付与データとに基づいて、記録用カラーデータを生成する記録用カラーデータ生成工程と、前記記録用ブラックデータと前記記録用カラーデータに基づいて前記記録ヘッドを制御することにより画像を記録する制御工程と、を含むことを特徴とする。
【発明の効果】
【００２３】
本発明によれば、ブラックデータを間引いたデータに対応する記録領域に対して、混色によってブラックを表現可能な複数のカラーインクを付与することにより、ブラックドットが比較的集中して形成される領域におけるブラックインクの付与量を少なくしてスミアの発生を抑制しつつ、混色によってブラックを表現可能な複数のカラーインクを付与することにより、ブラックの濃度の低下を抑えることができる。その場合、ブラックインクより定着性に優れたカラーインクを用いることにより、スミアをより一層抑制することができる。
【００２４】
また、ブラックデータよりもカラーデータの解像度が高い場合には、ブラックドットを形成するブラックインク滴よりもカラードットを形成するカラーインク滴の方が小さいため、ブラックドットを間引いた領域に打ち込むカラープロセスブラック形成用の複数のカラーインクの付与量を少なく抑えることができる。
【００２５】
しかも、ブラックドットが高デューティに形成される領域におけるスミア抑制のためのカラーインクの付与データと、ブラックインクとカラーインクの付与部分の境界部における境界ブリーディングを抑制するためのカラーインクの付与データと、を生成するため、スミアと境界ブリーディングを抑制することができる。これらの結果、黒文字などの黒画像を高品位に記録することができる。
【発明を実施するための最良の形態】
【００２６】
以下、図面を参照して本発明の実施形態を説明する。以下の実施形態は、インクジェット記録方式の記録装置に対する適用例である。  
［第１の実施形態］
図２０から図２２は、本発明を適用可能なインクジェット記録装置の構成例を説明するための図、図１から図１３は、本発明の第１の実施形態を説明するための図である。
【００２７】
（記録装置の構成例）
図２０は、本発明を適用可能なカラーインクジェット記録装置の構成例を示す概略斜視図である。  
【００２８】
この図において、２０２は４つのインクカートリッジである。これらは、４色のインク（ブラック（Ｂｋ）、シアン（Ｃ）、マゼンタ（Ｍ）、イエロー（Ｙ））がそれぞれ入れられたインクタンクと、それらのインクを吐出可能な記録ヘッド２０１と、から構成されている。記録ヘッド２０１の構成については後述する。１０３は紙送りローラであり、補助ローラ１０４と共に被記録媒体としての記録用紙１０７を抑えながら図中の矢印方向に回転して、記録用紙１０７の矢印Ｂ方向（副走査方向）への給紙を行う。これらのローラ１０３および１０４と同様に、ローラ１０５も記録用紙１０７を抑える役割を果たしている。１０６はキャリッジであり、４つのインクカートリッジ２０２を搭載して、それらのインクカートリッジ２０２と共に矢印Ａの主走査方向に移動させる。キャリッジ１０６は、記録装置が記録を行っていないとき、あるいは記録ヘッドの回復動作を行うときは、図中点線の位置（ホームポジション）ｈに待機するように制御される。
【００２９】
記録開始前、キャリッジ１０６はホームポジションｈに位置する。そして記録開始命令により、キャリッジ１０６を矢印Ａの主走査方向に移動させながら、記録ヘッド２０１に設けられた記録素子を駆動してインクを吐出させることにより、記録ヘッド２０１の記録幅に対応した記録用紙１０７上の領域に記録を行う。キャリッジ１０６の主走査方向に沿って、記録用紙１０７上の記録領域の端部までの記録走査が終了すると、キャリッジ１０６は元のホームポジションｈに戻り、再び主走査方向への記録走査を行う。前回の記録走査が終了してから、次の記録走査が始まる前に、紙送りローラ１０３が矢印方向へ回転して、必要な幅だけ記録用紙１０７を復走査方向へ紙送りする。このような記録走査と紙送りとを繰り返すことにより、記録用紙１０７上への記録が完成する。記録ヘッド２０１からインクを吐出する記録動作は、記録制御手段（不図示）からの制御に基づいて行われる。
【００３０】
また、記録速度を高めるため、キャリッジ１０６の往方向の走査時のみに記録を行うのではなく、キャリッジ１０６がホームポジションｈ側へ戻る復方向の移動時においても記録を行う構成、つまり双方向記録が可能な構成であってもよい。
【００３１】
また、インクカートリッジ２０２は、記録用のインクを収容するインクタンクと、記録用紙１０７に向けてインクを吐出する記録ヘッド２０１と、が一体になったインクジェットカートリッジを構成するものであってもよい。また、インクタンクと記録ヘッド２０１は、分離可能にキャリッジ１０６に保持されるものであってもよい。さらに、１つの記録ヘッドから複数色のインクの吐出が可能に構成された記録ヘッド２０１を用いてもよい。
【００３２】
また、前述の回復動作を行う位置には、記録ヘッド２０１の前面（インク吐出口の形成面）をキャップするキャッピング手段（不図示）、およびキャッピング手段によるキャップ状態において、記録ヘッド２０１内の増粘インクや気泡を除去する等のヘッド回復動作を行う回復ユニット（不図示）が設けられている。また、キャッピング手段の側方には、クリーニングブレード（不図示）等が記録ヘッド２０１に向けて突出可能に支持されており、そのクリーニングブレードと記録ヘッドの前面との摺接が可能となっている。回復動作後に、クリーニングブレードを記録ヘッドの移動経路中に突出させて、そして記録ヘッドを移動させることにより、その記録ヘッドの移動に伴って、記録ヘッドの前面に付着した不要なインク滴や汚れ等を払拭する。
【００３３】
（記録ヘッドの構成例）
図２１は、記録ヘッド２０１の構成例を説明するための要部斜視図である。  
本例の記録ヘッド２０１には、複数の吐出口３００が所定のピッチで形成されており、共通液室３０１と各吐出口３００との間は各液路３０２によって連結されている。各液路３０２の壁面に沿って、インク吐出用のエネルギーを発生するための記録素子３０３が配設されている。本例の記録素子は、熱エネルギーを発生するためのヒータ（電気熱変換体）である。記録素子３０３とその駆動回路は、シリコン上に半導体製造技術を利用して作られている。また、温度センサ（不図示）およびサブヒータ（不図示）も、同一シリコン上に半導体製造プロセスと同様のプロセスによって一括形成される。これらの電気配線が作られたシリコンプレート３０８は、放熱用のアルミベースプレート３０７に接着されている。また、シリコンプレート３０８上の回路接続部３１１とプリント板３０９は超極細ワイヤー３１０によって接続されており、記録装置本体からの信号は信号回路３１２を通して入力する。
【００３４】
液路３０２および共通液室３０１は、射出成形されたプラスチックカバー３０６によって形成されている。共通液室３０１は、ジョイントパイプ３０４とインクフィルター３０５を介して、前述したインクタンクと連結しており、インクタンクからインクが共通液室３０１に供給される。インクタンクから共通液室３０１に供給されて一時的に貯えられたインクは、毛管現象により液路３０２に浸入し、吐出口３００にてメニスカスを形成して、液路３０２内を満たされる。そして、電極（不図示）を介して記録素子３０３としてのヒータが通電されて、それが発熱することにより、その記録素子３０３上のインクが急激に加熱されて液路３０２内に気泡が発生する。この気泡の膨張により、吐出口３００からインク滴３１３が吐出される。
【００３５】
（インクの特性）
本実施形態で適用するブラック（Ｋ）インクは所定の浸透性を有し、シアン（Ｃ）、マゼンタ（Ｍ）およびイエロー（Ｙ）のカラーインクは所定の浸透性よりも高い浸透性を有している。このインク特性によれば、高浸透性のカラーインクと同じ領域に付与される低浸透性のブラックインクは、その浸透速度が向上し、ブラックインクが記録媒体内部へ速やかに浸透していくため、スミアが抑制される。
【００３６】
但し、ブラックインクの浸透性が向上すると、ブラックインクの溶媒成分のみならず色材成分までが記録媒体内部へ高速且つ多量に浸透し、ブラック画像の濃度低下を招く傾向にある。そこで、本実施形態では、ブラック画像の濃度低下を軽減するべく、ブラックインクの色材を凝集させる成分をシアン（Ｃ）インクに含ませるようにしている。このインク構成によれば、ブラックインクの色材を瞬時に凝集させ、その凝集物を記録媒体の表面に多く残せるので、ブラック画像の濃度を低下させずに済む。
【００３７】
以上述べたように本実施形態では、低浸透性のブラックインクと、高浸透性のシアン、マゼンタ、イエローのカラーインクを用い、更にシアンインクにはブラックインクの色材を凝集させる成分を含ませているので、ブラック画像の濃度低下を招かずにしてブラック画像を高速に定着させることができ、その結果、スミアを効果的に抑制できる。
【００３８】
なお、浸透性の高低は、アセチレノール（アセチレノールは川研ファインケミカル社の商品名；アセチレングリコールにエチレンオキサイドを付加したものであり、エチレンオキサイド−２，４，７，９−テトラメチル−５−デシン−４，７−ジオール（ｅｔｈｙｌｅｎｅ  ｏｘｉｄｅ−２，４，７，９−ｔｅｔｒａｍｅｔｈｙｌ−５−ｄｅｃｙｎｅ−４，７−ｄｉｏｌ）で表される）等に代表される界面活性剤の含有量を変えることで調整可能である。界面活性剤の含有量を多くすることにより浸透性を高めることができる。従って、本例では、界面活性剤の含有率を、ブラックインクよりもカラーインクの方で高くしている。
【００３９】
また、ブラックインクの色材を凝集させる成分としては多価金属塩が好適に用いられる。多価金属塩は、二価以上の多価金属イオンとこれら多価金属イオンに結合する陰イオンとから構成される。多価金属イオンの具体例としては、Ｃａ２＋、Ｃｕ２＋、Ｎｉ２＋、Ｍｇ２＋、Ｚｎ２＋等の二価金属イオン、そしてＦｅ３＋、Ａｌ３＋等の三価金属イオンが挙げられる。又、陰イオンとしては、Ｃｌ−、ＮＯ３−、ＳＯ４２−等が挙げられる。
【００４０】
（記録装置における制御系の構成例）
図２２は、記録装置における制御系の構成例を説明するためのブロック図である。  
４００は記録信号を入力するインターフェ−ス、４０１はＭＰＵ、４０２はＭＰＵ４０１が実行する制御プログラムを格納するプログラムＲＯＭである。ＭＰＵ４０１は、後述するようなデータの処理を実行する。４０３は、各種データ（記録信号や記録ヘッド２０１に供給される記録データ等）を保存しておくダイナミック型のＲＡＭ（ＤＲＡＭ）であり、記録ドット数や、インクタンクや記録ヘッド２０１の交換回数等も記憶することができる。４０４は、記録ヘッド２０１に対する記録データの供給制御を行うゲートアレイであり、インターフェース４００、ＭＰＵ４０１、およびＤＲＡＭ４０３間のデータの転送制御も行う。４００は、不図示のホストコンピュータ（ホスト装置）に接続される。このホストコンピュータから、記録装置によって記録するための画像データを入力することができる。４０５は、記録ヘッド２０１を搬送するためのキャリアモータ（ＣＲモータ）、４０６は、記録用紙１０７の搬送用駆動源としての搬送モータ（ＬＦモータ）である。４０７および４０８は、それぞれ搬送モータ４０５およびキャリアモータ４０６を駆動するためのモータドライバである。４０９は、記録ヘッド２０１を駆動するためのヘッドドライバである。
【００４１】
（データ処理系の構成例）
図１は、後述するブラックドット近接画素データの検出処理Ｅ１０００、カラードット近接画素データの検出処理Ｅ１００４、記録用Ｂｋデータを生成するためのＢｋ間引きマスクとのＡＮＤ処理Ｅ１００８、ＰＣＢｋ付与データの生成処理Ｅ１００９、カラードット付与データの生成処理Ｅ１、記録用ＣＭＹデータの生成処理Ｅ２を説明するためのブロック図である。
【００４２】
この図１において、オリジナルのＢｋデータＤ１０００は、ホストコンピュータから入力された多値データに２値化処理を施して得られた２値データ、あるいはホストコンピュータから直接入力された２値データであり、対応する記録ヘッド２０１からブラック（Ｂｋ）のインクを吐出するか否か、つまりブラックインクのドットを形成するか否かに対応する”１”，”０”のデータである。本例の場合、オリジナルＢｋデータＤ１０００は、後述するＢｋ間引きマスク処理Ｅ１００８によって実際の記録に用いられるＢｋデータＤ１０１６となる。以下においては、これらのＢｋデータＤ１０００，Ｄ１０１６をブラックドットデータともいう。以下においては、これらのＣ，Ｍ，およびＹデータＤ１００５〜Ｄ１００７，Ｄ１０１３〜Ｄ１０１５をカラードットデータともいう。
【００４３】
また以下においては、図２（ａ）〜（ｅ）のような画像を例にして説明する。
【００４４】
図２（ａ）は、オリジナルＣデータＤ１００５に対応する画像（オリジナルＣ画像）、図２（ｂ）は、オリジナルＭデータＤ１００６に対応する画像（オリジナルＭ画像）、図２（ｃ）は、オリジナルＹデータＤ１００７に対応する画像（オリジナルＹ画像）である。図２（ｅ）は、オリジナルＢｋデータＤ１０００に対応する画像（後述する図４（ｂ）のオリジナルＢｋ画像）を反転させた画像（オリジナルＢｋ反転画像）である。これら図２（ａ），（ｂ），（ｃ）の画像は１００画素（１０×１０）であり、これらの論理和によって、図２（ｄ）のようなカラードットエリア画像が得られる。図１におけるＥ１１は、ＣデータＤ１００５、ＭデータＤ１００６、およびＹデータＤ１００７の論理和をとって、図２（ｄ）のカラードットエリア画像に対応するオリジナルＣ，Ｍ，ＹのＯＲデータＤ１００８を生成するための演算処理部である。
【００４５】
本例においては、オリジナルＢｋ画像（図４（ｂ）参照）の記録領域内に、図２（ａ），（ｂ），（ｃ）のオリジナルＣ，Ｍ，Ｙ画像のいずれの記録画素も存在しない。仮に、前者の記録領域内に後者の記録画素のいずれかが存在していた場合には、例えば、図２（ｄ）中の２点鎖線によって表すような記録画素Ｐが存在することになる。このような記録画素Ｐは、その図２（ｄ）の画像データと図２（ｅ）の画像データとの論理積をとることによって除去することができる。
【００４６】
（ブラックドット近接画素データの検出処理Ｅ１０００）
このブラックドット近接画素データの検出処理Ｅ１０００は、スミアを防止あるいは軽減するために、互いに近接するようにブラックドットが形成される画素（ブラック画素）を検出する処理である。
【００４７】
図３は、その検出処理Ｅ１０００の内容を説明するためのフローチャートである。図４（ａ）は、着目画素を中心とした３×３の９画素のマトリクス、図４（ｂ）は、オリジナルＢｋ画像のデータ（オリジナルＢｋデータ）Ｄ１０００、図４（ｃ）は、検出処理Ｅ１０００によって検出されたＢｋ近接画素画像のデータ（ブラックドット近接画素データ）Ｄ１００１である。
【００４８】
検出処理Ｅ１０００においては、まず、着目画素にブラックドットが形成され、かつ、その着目画素を中心とする３×３の９画素のマトリクス内に形成されるブラックドットの総数（総ブラックドット数）が所定数（本例の場合は９）以上であるか否かを判定する（ステップＳ１０１）。ブラックドットが形成される着目画素は、Ｂｋ着目画素ともいう。総ブラックドット数が所定数以上の場合にはＢｋ着目画素のビットをオンにし（ステップＳ１０２）、それが所定数以上でない場合には、Ｂｋ着目画素のビットをオフにする（ステップＳ１０３）。次に、着目画素を１画素分シフトさせ（ステップＳ１０４）、その着目画素と、それを中心とする３×３の９画素のマトリクスに関して、ステップＳ１０１の判定をする。全てのＢｋ着目画素についてのビットのオンまたはオフの設定が終われば処理を終了する（ステップＳ１０５）。ここでは、総ブラックドット数の閾値を９としたがこれには限定されず、インクの特性や記録装置の特性に合わせて最適な値を用いることができる。
【００４９】
図４（ｂ）のようなオリジナルＢｋ画像に対して、このような検出処理Ｅ１０００を行った結果、ビットがオンに設定されたＢｋ近接画素画像のデータは、図４（ｃ）のようなブラックドット近接画素データＤ１００１となる。ビットがオンに設定された画素は、互いに近接するようにブラックドットが形成される画素であり、これら画素にはスミア抑制のためにカラーインクを付与する。図４（ｂ）と図４（ｃ）との比較からも明らかなように、この検出処理Ｅ１０００によって、ブラックドットが比較的高デューティに形成される領域のみがブラックドット近接画素データＤ１００１として検出される。ブラックドットが比較的低デューティに形成される画像のエッジ領域は、ブラックドット近接画素データＤ１００１として検出されないため、そのようなエッジ領域にはカラーインクが付与されない。その結果、ブラック画像のシャープさを保つことができる。
【００５０】
（カラードット近接画素データの検出処理Ｅ１００４）
カラードット近接画素データの検出処理Ｅ１００４は、ブラックインクとカラーインクのブリーディングを抑制するために、カラードットに近接してブラックドットが形成される画素を検出する処理である。
【００５１】
図５は、その検出処理Ｅ１００４の内容を説明するためのフローチャート図である。図６（ａ）は、着目画素を中心とした３×３の９画素のマトリクス、図６（ｂ）は、オリジナルＢｋ画像のデータ（オリジナルＢｋデータ）Ｄ１０００、図６（ｃ）は、前述した図２（ｄ）と同様のカラードットエリア画像のデータ、図６（ｄ）は、検出処理Ｅ１００４によって検出されたカラー近接画素画像のデータ（カラードット近接画素データ）Ｄ１００９である。
【００５２】
検出処理Ｅ１００４においては、まず、着目画素にブラックドットが形成され、かつ、その着目画素を中心とする３×３の９画素のマトリクス内に形成されるカラードットの総数（総カラードット数）が１以上であるか否かを判定する（ステップＳ２０１）。ブラックドットが形成される着目画素は、Ｂｋ着目画素ともいう。総カラードット数が１以上の場合にはＢｋ着目画素のビットをオンにし（ステップＳ２０２）、それが１以上でない場合には、Ｂｋ着目画素のビットをオフにする（ステップＳ２０３）。次に、着目画素を１画素分シフトさせ（ステップＳ２０４）、その着目画素と、それを中心とする３×３の９画素のマトリクスに関して、ステップＳ２０１の判定をする。全てのＢｋ着目画素についてのビットのオンまたはオフの設定が終われば処理を終了する（ステップＳ２０５）。ここでは、総カラードット数の閾値を１としたがこれには限定されず、インクの特性や記録装置の特性に合わせて最適な値を用いることができる。
【００５３】
図６（ｂ）のオリジナルＢｋ画像と、Ｃ，Ｍ，Ｙのカラーインクの記録画像に対応する図６（ｃ）のカラードットエリア画像に対して、このような検出処理Ｅ１００４を行った結果、ビットがオンに設定された画素の図６（ｄ）のようなカラー近接画像画素となる。このような検出処理Ｅ１００４によって、ブラックインクの付与領域とカラーインクの付与領域の境界領域のみがカラードット近接画像データＤ１００９として検出される。その境界領域にカラーインクを付与することによって、境界ブリーディングを抑制することができる。
【００５４】
（Ｂｋ間引きマスクとのＡＮＤ処理Ｅ１００８）
このＡＮＤ処理Ｅ１００８は、記録用Ｂｋデータを生成するための処理である。
このＡＮＤ処理Ｅ１００８においては、オリジナルＢｋデータＤ１０００をＢｋ間引きマスクを用いて間引くことにより、つまり、それらのデータの論理積をとることによって、記録用ＢｋデータＤ１０１６を生成する。具体的には、オリジナルＢｋデータＤ１０００に対応する図７（ａ）のようなオリジナルブラック画像は、図７（ｂ）のようなＢｋ間引きマスクを用いて間引かれることにより、記録用ＢｋデータＤ１０１６に対応する図７（ｃ）のような記録用Ｂｋ画像となる。図７（ｂ）において、黒で示される箇所は記録許容画素であり、白で示される箇所は非記録許容画素である。ここで、間引き対象とならない記録許容画素の割合は７５％、間引き対象とされる非記録許容画素の割合は２５％となっており、Ｂｋ間引きマスクの間引き率は２５％である。このように、定着性が劣るブラックインクを付与するためのＢｋデータを間引くことにより、スミアの発生を抑制することができる。Ｂｋ間引きマスクの間引き量やマスクサイズは、インクの特性や記録装置の構成に応じて、適切な値とすることができる。また、そのＢｋ間引きマスク内のドットの配置形態は、規則性を持たせてもよいし、疑似的にランダムにしてもよい。
【００５５】
（カラードット付与データの生成処理Ｅ１）
この生成処理Ｅ１においては、演算処理部Ｅ１２によって、図８（ａ）のような記録用Ｂｋ画像に対応する記録用ＢｋデータＤ１０１６と、図８（ｂ）のようなＢｋ近接画素画像に対応するブラックドット近接画素データＤ１００１と、の論理積をとって、図８（ｃ）のようなＢｋ近接画像間引き画像に対応するＢｋ近接画像間引きデータＤ１を生成する。また、演算処理部Ｅ１３によって、図８（ａ）のような記録用Ｂｋ画像に対応する記録用ＢｋデータＤ１０１６と、図８（ｄ）のようなカラードット近接画素画像に対応するカラードット近接画素データＤ１００９と、の論理積をとって、図８（ｅ）のようなカラードット近接画素間引き画像に対応するカラードット画素間引きデータＤ２を生成する。
【００５６】
図８（ｃ）のようなＢｋ近接画像間引きデータＤ１に対して、Ｃマスク１とのＡＮＤ処理Ｅ１００１、Ｍマスク１とのＡＮＤ処理Ｅ１００２、Ｙマスク１とのＡＮＤ処理Ｅ１００３を行うことによって、スミア抑制用のカラードット付与データ、つまりＣ付与データ１Ｄ１００２、Ｍ付与データ１Ｄ１００３、Ｙ付与データ１Ｄ１００４を生成する。具体的には、ＡＮＤ処理Ｅ１００１によって、図９（ａ）（図８（ｃ）と同一）のＢｋ近接画像間引きデータＤ１と、図９（ｂ）のＣマスク１のデータとの論理積をとることによって、図９（ｅ）のＣ付与データ１Ｄ１００２を生成する。同様に、ＡＮＤ処理Ｅ１００２によって、図９（ａ）のＢｋ近接画像間引きデータＤ１と、図９（ｃ）のＭマスク１のデータとの論理積をとることによって、図９（ｆ）のＭ付与データ１Ｄ１００３を生成し、またＡＮＤ処理Ｅ１００３によって、図９（ａ）のＢｋ近接画像間引き画像データＤ１と、図９（ｄ）のＹマスク１のデータとの論理積をとることによって、図９（ｇ）のＹ付与データ１Ｄ１００４を生成する。本例において、Ｃマスク１によって間引かれないデータ量の割合は１８％（Ｃマスク１の間引き率は７２％）、Ｍマスク１によって間引かれないデータ量の割合は５％（Ｍマスク１の間引き率は９５％）、Ｙマスク１によって間引かれないデータ量の割合は５％（Ｙマスク１の間引き率は９５％）となっている。それらのマスク１の間引き率およびマスクサイズは、インクの特性や記録装置の構成に応じて、適切な値とすることができる。また、それらのマスク１内のドットの配置形態は、規則性を持たせてもよいし、疑似的にランダムにしてもよい。
【００５７】
図８（ｄ）のようなカラードット近接画像間引きデータＤ２に対して、Ｃマスク２とのＡＮＤ処理Ｅ１００５、Ｍマスク２とのＡＮＤ処理Ｅ１００６、Ｙマスク２とのＡＮＤ処理Ｅ１００７を行うことによって、ブリーディング抑制用のカラードット付与データ、つまりＣ付与データ２Ｄ１０１０、Ｍ付与データ２Ｄ１０１１、Ｙ付与データ２Ｄ１０１２を生成する。具体的には、ＡＮＤ処理Ｅ１００５によって、図１０（ａ）（図８（ｄ）と同一）のカラードット近接画像間引きデータＤ２と、図１０（ｂ）のＣマスク２のデータとの論理積をとることによって、図１０（ｅ）のＣ付与データ２Ｄ１０１０を生成する。同様に、ＡＮＤ処理Ｅ１００６によって、図１０（ａ）のカラードット近接画像間引きデータＤ２と、図１０（ｃ）のＭマスク２のデータとの論理積をとることによって、図１０（ｆ）のＭ付与データ２Ｄ１０１１を生成し、またＡＮＤ処理Ｅ１００７によって、図１０（ａ）のカラードット近接画像間引きデータＤ２と、図１０（ｄ）のＹマスク２のデータとの論理積をとることによって、図１０（ｇ）のＹ付与データ２Ｄ１０１２を生成する。本例において、Ｃマスク２によって間引かれないデータ量の割合は３１％、Ｍマスク２によって間引かれないデータ量の割合は５％、Ｙマスク２によって間引かれないデータ量の割合は５％となっている。Ｃマスク２によって間引かれないデータ量の割合を比較的大きくしている理由は、シアンインクのみをブラックインクに対して反応性して凝集するタイプとしたインクシステムを想定しているからである。それぞれのマスク２の間引き率およびマスクサイズは、インクの特性や記録装置の構成に応じて、適切な値とすることができる。また、それらのマスク１内のドットの配置形態は、規則性を持たせてもよいし、疑似的にランダムにしてもよい。
【００５８】
（ＰＣＢｋ付与データ生成処理Ｅ１００９）
この処理Ｅ１００９においては、図１１（ｄ）のＰＣＢｋ付与画像のデータＤ１０２４を生成する。このデータ（ＰＣＢｋ付与データ）Ｄ１０２４は、図１１（ｂ）のオリジナルＢｋ画像のデータＤ１０００から図１１（ａ）の記録用Ｂｋ画像のデータＤ１０１６を生成する際に間引かれたデータに相当する。そのＰＣＢｋ付与データＤ１０２４は、図１１（ａ）の画像を反転させた画像のデータと、図１１（ｂ）の画像データとの論理積をとることによって生成することができる。このＰＣＢｋ付与データＤ１０２４は、オリジナルＢｋデータＤ１０００から間引かれた画素部分をプロセスブラック（Ｃ，Ｍ，Ｙインクの付与することによって表現するブラック）によって補うためのデータである。また、この処理Ｅ１００９においては、図１１（ｃ）の反転Ｂｋ間引きマスク、つまり前述した図７（ｂ）のＢｋ間引きマスクを反転させたマスクと、オリジナルＢｋデータＤ１０００との論理積をとることによって、図１１（ｄ）のＰＣＢｋ付与データＤ１０２４を生成することもできる。
【００５９】
（記録用ＣＭＹデータの生成処理Ｅ２）
この生成処理Ｅ２においては、演算処理部Ｅ１４，Ｅ１７，Ｅ２０によって、Ｃ付与データ１Ｄ１００２、Ｃ付与データ２Ｄ１０１０、ＰＣＢｋ付与データＤ１０２４、およびオリジナルＣデータＤ１００５の論理和をとることによって、図１３（ａ）記録用ＣデータＤ１０１３を生成する。同様に、演算処理部Ｅ１５，Ｅ１８，Ｅ２１によって、Ｍ付与データ１Ｄ１００３、Ｍ付与データ２Ｄ１０１１、ＰＣＢｋ付与データＤ１０２４、およびオリジナルＭデータＤ１００６の論理和をとることによって、図１３（ｂ）記録用ＭデータＤ１０１４を生成する。また、演算処理部Ｅ１６，Ｅ１９，Ｅ２２によって、Ｙ付与データ１Ｄ１００４、Ｙ付与データ２Ｄ１０１２、ＰＣＢｋ付与データＤ１０２４、およびオリジナルＹデータＤ１００７の論理和をとることによって、図１３（ｃ）記録用ＹデータＤ１０１５を生成する。
【００６０】
図１２は、前述したカラードット付与データの生成処理Ｅ１を含めた記録用ＣＭＹデータの生成処理Ｅ２の手順を説明するためのフローチャートである。
【００６１】
まず、ブラックドット近接画素データＤ１００１を検出し（ステップＳ３０１）、演算処理部Ｅ１２において、そのデータＤ１００１と記録用ＢｋデータＤ１０１６との論理積をとって、Ｂｋ近接画素間引きデータＤ１を生成する（ステップＳ３０２）。そして、ＡＮＤ処理部Ｅ１００１、Ｅ１００２，Ｅ１００３において、Ｂｋ近接画素間引きデータＤ１と、Ｃ，Ｍ，Ｙのマスク１との論理積をとって、Ｃ，Ｍ，Ｙの付与データ１Ｄ１００２，Ｄ１００３，Ｄ１００４を生成する（ステップＳ３０３）。
【００６２】
次に、カラードット近接画素データＤ１００９を検出し（ステップＳ３０４）、演算処理部Ｅ１３において、そのカラードット近接画素データＤ１００９と記録用ＢｋデータＤ１０１６との論理積をとって、カラードット近接画素間引きデータＤ２を生成する（ステップＳ３０５）。そして、そして、ＡＮＤ処理部Ｅ１００５、Ｅ１００６，Ｅ１００７において、カラードット近接画素間引きデータＤ２と、Ｃ，Ｍ，Ｙのマスク２との論理積をとって、Ｃ，Ｍ，Ｙの付与データ２Ｄ１０１０，Ｄ１０１１，Ｄ１０１２を生成する（ステップＳ３０６）。
【００６３】
その後、前述したように、演算処理部Ｅ１４〜Ｅ２２によって、図１３（ａ），（ｂ），（ｃ）のような記録用のＣ，Ｍ，ＹデータＤ１０１３，Ｄ１０１４，Ｄ１０１５を生成する（ステップＳ３０７）。
【００６４】
以上説明したように、本実施形態においては、文字のエッジ領域を除いた比較的高デューティのＢｋインクの付与領域にカラーインクを付与すると共に、オリジナルＢｋデータＤ１０００を間引いた領域にプロセスブラックを付与する。これにより、ブラックインクの付与部分の濃度低下を抑えた上、ブラックドットが高デューティに形成される領域におけるスミアの発生を抑制すると共に、エッジ部分がシャープな高品位の黒文字を記録することができる。また、ブラックインクとカラーインクの付与部分の境界領域に対しては、Ｃ，Ｍ，Ｙの付与データ１に基づいてスミアの発生抑制用のカラードットを付与すると共に、Ｃ，Ｍ，Ｙの付与データ２に基づいて境界ブリーディング抑制用のカラードットを付与する。この結果、スミアと境界ブリーディングを同時に抑制することができる。
【００６５】
［第２の実施形態］
図１４から図１９は、本発明の第２の実施形態を説明するための図である。
【００６６】
本実形態は、オリジナルＢｋデータＤ１０００と、オリジナルカラーデータ（オリジナルＣ，Ｍ，Ｙデータ）Ｄ１００５〜Ｄ１００７の解像度が異なる場合、例えば、前者のデータが６００ｄｐｉ、後者のデータが１２００ｄｐｉの場合に対応する構成となっている。つまり、Ｂｋデータを間引いた箇所に付与するＰＣＢｋ付与データに関し、それを展開するパターンを変更することにより、プロセスブラックの濃度を調整する。これにより、ブラックインクの付与領域にカラーインクを付与してスミアの抑制を図りつつ、黒文字などの黒画像の記録品位を向上させる。ブラックインクの付与領域に対してカラーインクを付与する場合には、カラーインクを先に付与してからブラックインクを付与してもよく、逆に、ブラックインクを先に付与してからカラーインクを付与してもよい。このようなインクの付与順序は、インクの特性などに応じて適宜設定することができる。
【００６７】
（データ処理系の構成例）
本例においては、オリジナルＣデータＤ１００５，オリジナルＭデータＤ１００６，オリジナルＹデータＤ１００７の論理和をとったオリジナルＣ，Ｍ，ＹのＯＲデータＤ１００８を圧縮処理Ｅ２１する。カラードット近接画素データの検出処理Ｅ１００４においては、その圧縮処理されたＯＲデータＤ１００８とオリジナルＢｋデータＤ１０００を用いて、境界ブリーディング抑制用のカラードット近接画素データＤ１００９を生成する。ＰＣＢｋ付与データ生成処理Ｅ１００９により生成されたＰＣＢｋ付与データＤ１０２４は、展開処理Ｅ２２されて展開ＰＣＢｋ付与データＤ１１となる。また、記録用のＣ，Ｍ，ＹデータＤ１０１３，Ｄ１０１４，Ｄ１０１５を生成するために、展開処理Ｅ２３，Ｅ２４，Ｅ２５を行う。
【００６８】
その他の構成は、前述した実施形態と同様である。以下においては、前述した実施形態と異なる構成部分について、より詳細に説明する。
【００６９】
（圧縮処理Ｅ２１）
図１５（ａ）はオリジナルＣ画像のデータ（オリジナルＣデータ）Ｄ１００５、図１５（ｂ）はオリジナルＭ画像のデータ（オリジナルＭデータ）Ｄ１００６、図１５（ｃ）はオリジナルＹ画像のデータ（オリジナルＹデータＤ１００７）であり、本例の場合、これらの画像の解像度は１２００ｄｐｉである。図１５（ｅ）は、前述した図２（ｅ）と同様のオリジナルＢｋ反転画像のデータであり、本例の場合、その画像の解像度は６００ｄｐｉである。Ｃ，Ｍ，Ｙのオリジナルカラーデータの論理和をとることによって、図１５（ｄ）のオリジナルＣ，Ｍ，ＹのＯＲ画像のデータ（オリジナルＣ，Ｍ，ＹのＯＲデータ）Ｄ１００８が生成できる。そのＯＲデータＤ１００８は圧縮処理Ｅ２１される。解像度（６００ｄｐｉ）の１つ注目格子は、ＯＲデータＤ１００８の解像度（１２００ｄｐｉ）の４つの格子によって形成されることになる。本例の圧縮においては、図１５（ｇ）のように、後者の４つの格子の中に１つでもカラードットを形成するためのデータが存在している場合には前者の注目格子をオンにし、一方、後者の４つの格子の中に１つもカラードットを形成するためのデータが存在しない場合には前者の注目格子をオフにする。このような圧縮処理Ｅ２１によって、図１５（ｆ）のようなカラードットエリア圧縮画像のデータが生成される。注目格子をオンまたはオフするための閾値となるカラードットの形成数、つまり解像度（１２００ｄｐｉ）の４つの格子の中におけるカラードットの形成数は１のみに特定されず、インクの特性や記録装置の構成などに応じて適切に設定することができる。
【００７０】
カラードット近接画素データの検出処理Ｅ１００４は、このように圧縮されたＯＲデータＤ１００８と図２（ｅ）のオリジナルＢｋ反転画像との論理和がとることによって、図１５（ｆ）のカラードットエリア圧縮画像を検出する。このような圧縮において、注目格子をオンまたはオフにするときの閾値、つまり６００ｄｐｉの格子の中の１２００ｄｐｉのドットの数は任意に設定することができ、インクの特性や記録装置の構成に応じて適切な値に設定することができる。
【００７１】
（展開処理Ｅ２２）
図１６（ａ）は記録用Ｂｋ画像のデータ（記録用Ｂｋデータ）Ｄ１０１６、図１６（ｂ）はオリジナルＢｋ画像のデータ（オリジナルＢｋデータ）Ｄ１０００である。ＰＣＢｋ付与データ生成処理Ｅ１００９においては、前述した実施形態と同様に、それらの画像データから図１６（ｃ）のＰＣＢｋ付与画像のデータ（ＰＣＢｋ付与データ）Ｄ１１を生成する。本例の展開処理Ｅ２２においては、図１６（ｅ）中の実線のような展開パターンにより、図１６（ｃ）の解像度が６００ｄｐｉのＰＣＢｋ付与データＤ１０２４を展開して、図１６（ｄ）の解像度が１２００ｄｐｉの展開ＰＣＢｋ画像のデータ（展開ＰＣＢｋ付与データ）Ｄ１１を生成する。すなわち、着目する６００ｄｐｉの解像度の格子がオンのときに、その着目する格子の６００ｄｐｉの中における解像度１２００ｄｐｉの４つの格子をオンにする。このような展開パターンは任意であり、インクの特性や記録装置の構成に応じて適切に設定することができる。例えば、図１６（ｅ）中の実線および２点鎖線のように展開パターンを設定することもできる。
【００７２】
（展開処理Ｅ２３，Ｅ２４，Ｅ２５）
Ｃ付与データ１Ｄ１００２とＣ付与データ２Ｄ１０１０との論理和をとったデータは展開処理Ｅ２３されて展開Ｃ付与データＤ１２となり、そのデータＤ１２とオリジナルＣデータＤ１００５と展開ＰＣＢｋ付与データＤ１１との論理和により記録用のＣデータＤ１０１３を生成する。同様に、Ｍ付与データ１Ｄ１００３とＭ付与データ２Ｄ１０１１との論理和をとったデータは展開処理Ｅ２４されて展開Ｍ付与データＤ１３となり、そのデータＤ１３とオリジナルＭデータＤ１００６と展開ＰＣＢｋ付与データＤ１１との論理和により記録用のＭデータＤ１０１４を生成する。また、Ｙ付与データ１Ｄ１００４とＹ付与データ２Ｄ１０１２との論理和をとったデータは展開処理Ｅ２５されて展開Ｙ付与データＤ１４となり、そのデータＤ１４とオリジナルＹデータＤ１００７と展開ＰＣＢｋ付与データＤ１１との論理和により記録用のＹデータＤ１０１５を生成する。
【００７３】
図１７は、前述したカラードット付与データの生成処理Ｅ１を含めた記録用ＣＭＹデータの生成処理Ｅ２の手順を説明するためのフローチャートである。
【００７４】
ステップＳ３０１〜Ｓ３０６は、前述した図１２と同様である。本例の場合は、前述したように、圧縮処理Ｅ２１によって、１２００ｄｐｉの解像度のオリジナルＣＭＹのＯＲデータＤ１００８が記録用ＢｋデータＤ１０１６と同じ解像度の６００ｄｐｉのデータに圧縮する。そのため、演算処理部Ｅ１２は、ステップＳ３０５において前述した実施形態と同様に、同じ解像度のデータＤ１００８，Ｄ１０１６に基づいてカラードット近接画素間引きデータＤ２を生成することができる。
【００７５】
ステップＳ３１１においては、演算処理部Ｅ１４，Ｅ１５，Ｅ１６において、同じ６００ｄｐｉの解像度のＣ，Ｍ，Ｙの付与データ１とＣ，Ｍ，Ｙ付与データ２との論理和をとることによって、図１８（ａ），（ｂ），（ｃ）のような６００ｄｐｉの解像度の画像データを生成する。さらに、それらの６００ｄｐｉの解像度の画像データを展開処理Ｅ２３，Ｅ２４，Ｅ２５することによって、図１８（ｄ），（ｅ），（ｆ）のような１２００ｄｐｉの解像度の展開Ｃ，Ｍ，Ｙ付与画像のデータ（Ｃ，Ｍ，Ｙ展開付与データ）Ｄ１２，Ｄ１３，Ｄ１４を生成する。本例においては、その展開に際して図１８（ｇ）中の実線のような展開パターンを用いる。すなわち、着目する６００ｄｐｉの解像度の格子がオンのときに、その着目する格子の６００ｄｐｉの中における解像度１２００ｄｐｉの４つの格子をオンにする。このような展開パターンは任意であり、インクの特性や記録装置の構成に応じて適切に設定することができる。例えば、図１８（ｇ）中の実線および２点鎖線のように展開パターンを設定することもできる。
【００７６】
その後、演算処理部Ｅ１７〜Ｅ２２によって、解像度が１２００ｄｐｉのオリジナルＣ，Ｍ，ＹデータＤ１００５，Ｄ１００６，Ｄ１００６と、解像度が１２００ｄｐｉの展開Ｃ，Ｍ，Ｙ付与データＤ１２，Ｄ１３，Ｄ１４と、解像度が１２００ｄｐｉの展開ＰＣＢｋ付与データＤ１１と、の論理和をとって、記録用Ｃ，Ｍ，ＹデータＤ１０１３，Ｄ１０１４，Ｄ１０１５を生成する（ステップ３１２）。
【００７７】
本例においては、オリジナルＢｋデータＤ１０００の解像度を６００ｄｐｉとし、オリジナルＣ，Ｍ，ＹデータＤ１００５，Ｄ１００６，Ｄ１００７の解像度１２００ｄｐｉとしている。これら両者の解像度の程度および解像度の高低の関係は、これに特定されず任意であり、少なくとも両者のデータを関係付けるカラードット付与データの生成処理Ｅ１において、それら両者のデータを同じ解像度に合わせることができればよい。その際には、両者のいずれか一方を圧縮処理する他、両者のいずれか一方を展開処理してもよい。また、記録用ＢｋデータＤ１０１６は、必ずしも本実施形態のようにオリジナルＢｋデータＤ１０００と同じ６００ｄｐｉの解像度とする必要はなく、また、記録用Ｃ，Ｍ，ＹデータＤ１０１３，Ｄ１０１４，Ｄ１０１５は、必ずしも本実施形態のようにオリジナルＣ，Ｍ，ＹデータＤ１００５，Ｄ１００６，Ｄ１００７と同じ１２００ｄｐｉの解像度する必要はない。
【００７８】
以上説明したように、本実施形態においては、オリジナルＢｋデータとオリジナルＣ，Ｍ、Ｙデータとの解像度が異なった場合に、それらのデータの圧縮処理や展開処理を伴って、カラードットを付与するための付与データを生成する。その結果、前述した実施形態と同様に、文字のエッジ領域を除いた比較的高デューティのＢｋインクの付与領域にカラーインクを付与すると共に、オリジナルＢｋデータＤ１０００を間引いた領域にプロセスブラックを付与する。これにより、ブラックインクの付与部分の濃度低下を抑えた上、ブラックドットが高デューティに形成される領域におけるスミアの発生を抑制すると共に、エッジ部分がシャープな高品位の黒文字を記録することができる。また、ブラックインクとカラーインクの付与部分の境界領域に対しては、Ｃ，Ｍ，Ｙの付与データ１に基づいてスミアの発生抑制用のカラードットを付与すると共に、Ｃ，Ｍ，Ｙの付与データ２に基づいて境界ブリーディング抑制用のカラードットを付与する。この結果、スミアと境界ブリーディングを同時に抑制することができる。
【図面の簡単な説明】
【００７９】
【図１】本発明の第１の実施形態におけるデータ処理系の構成例を説明するためのブロック図である。
【図２】（ａ）から（ｅ）は、それぞれ図１のデータ処理系における画像データに対応する画像の説明図である。
【図３】図１におけるブラックドット近接画像データの検出処理を説明するためのフローチャートである。
【図４】（ａ）から（ｃ）は、それぞれ図１におけるブラックドット近接画素データの検出処理を説明するための図である。
【図５】図１におけるブラックドット近接画素データの検出処理を説明するためのフローチャートである。
【図６】（ａ）から（ｄ）は、それぞれ図１におけるカラードット近接画像データの検出処理を説明するための図である。
【図７】（ａ）から（ｃ）は、それぞれ図１におけるＢｋ間引きマスクとのＡＮＤ処理を説明するための図である。
【図８】（ａ）から（ｅ）は、それぞれ図１におけるカラードット付与データの生成処理を説明するための図である。
【図９】（ａ）から（ｇ）は、それぞれ図１のカラードット付与データの生成処理におけるマスク１とのＡＮＤ処理を説明するための図である。
【図１０】（ａ）から（ｇ）は、それぞれ図１のカラードット付与データの生成処理におけるマスク２とのＡＮＤ処理を説明するための図である。
【図１１】（ａ）から（ｄ）は、それぞれ図１におけるＰＣＢｋ付与データ生成処理を説明するための図である。
【図１２】図１における記録用ＣＭＹデータの生成処理を説明するための図である。
【図１３】（ａ）から（ｃ）は、それぞれ図１における記録用ＣＭＹデータの生成処理によって生成された記録用カラーデータの説明図である。
【図１４】本発明の第２の実施形態におけるデータ処理系の構成例を説明するためのブロック図である。
【図１５】（ａ）から（ｇ）は、それぞれ図１４における圧縮処理を説明するための図である。
【図１６】（ａ）から（ｅ）は、それぞれ図１４におけるＰＣＢｋ付与データの展開処理を説明するための図である。
【図１７】図１４における記録用ＣＭＹデータ生成処理を説明するためのフローチャートである。
【図１８】（ａ）から（ｇ）は、それぞれ図１４における付与データの展開処理を説明するための図である。
【図１９】（ａ）から（ｃ）は、それぞれ図１４における記録用ＣＭＹデータの生成処理によって生成された記録用カラーデータの説明図である。
【図２０】本発明の第１の実施形態における記録装置の概略斜視図である。
【図２１】図２０の記録装置における記録ヘッドの要部の斜視図である。
【図２２】図２０の記録装置における制御系のブロック構成図である。
【符号の説明】
【００８０】
１０６    キャリッジ
１０７    記録用紙（被記録媒体）
２０１    記録ヘッド
５００    記録制御部
Ｄ１０００    オリジナルＢｋデータ
Ｄ１００５    オリジナルＣデータ
Ｄ１００６    オリジナルＭデータ
Ｄ１００７    オリジナルＹデータ
Ｄ１０１６    記録用Ｂｋデータ
Ｄ１０１３    記録用Ｃデータ
Ｄ１０１４    記録用Ｍデータ
Ｄ１０１５    記録用Ｙデータ
Ｅ１    カラードット付与データの生成処理
Ｅ２    記録用ＣＭＹデータの生成処理
Ｅ２１    圧縮処理
Ｅ２２，Ｅ２３    展開処理
Ｅ１０００    ブラックドット近接画像データの検出処理
Ｅ１００８    Ｂｋ間引きマスクとのＡＮＤ処理
Ｅ１００９    ＰＣＢｋ付与データ生成処理
【図１】
2006001053.tif 000003
【図２】
2006001053.tif 000004
【図３】
2006001053.tif 000005
【図４】
2006001053.tif 000006
【図５】
2006001053.tif 000007
【図６】
2006001053.tif 000008
【図７】
2006001053.tif 000009
【図８】
2006001053.tif 000010
【図９】
2006001053.tif 000011
【図１０】
2006001053.tif 000012
【図１１】
2006001053.tif 000013
【図１２】
2006001053.tif 000014
【図１３】
2006001053.tif 000015
【図１４】
2006001053.tif 000016
【図１５】
2006001053.tif 000017
【図１６】
2006001053.tif 000018
【図１７】
2006001053.tif 000019
【図１８】
2006001053.tif 000020
【図１９】
2006001053.tif 000021
【図２０】
2006001053.tif 000022
【図２１】
2006001053.tif 000023
【図２２】
2006001053.tif 000024